(57)【要約】【課題】快適な目覚めを得やすい睡眠改善装置を提供する。【解決手段】寝具１に備えられ、利用者Ｂの腰から上の上半身Ｂ１〜Ｂ３の一部の温度および腰より下の下半身Ｂ４，Ｂ５の一部の温度を各別に変更可能な熱源２を備え、覚醒時に上半身の一部Ｂ２の温度が、下半身の一部Ｂ５の温度に対して高温となるよう熱源２の温度制御を行う温度制御装置６を備えた。【選択図】図１
2015167639.tif 000002
【特許請求の範囲】
【請求項１】
寝具に備えられ、利用者の腰から上の上半身の一部の温度および腰より下の下半身の一部の温度を各別に変更可能な熱源を備え、
覚醒時に前記上半身の一部の温度が、前記下半身の一部の温度に対して高温となるよう前記熱源の温度制御を行う温度制御装置を備えた睡眠改善装置。
【請求項２】
前記温度制御装置が、入眠時に前記下半身の一部の温度が前記上半身の一部の温度に対して高温となるよう前記熱源を制御する請求項１に記載の睡眠改善装置。
【請求項３】
前記入眠時の下半身の一部の温度が相対的に高い第１状態から、前記覚醒時の上半身の一部の温度が相対的に高い第２状態に変化するよう、
前記熱源である加熱熱源あるいは冷却熱源による調熱対象部位を、前記下半身の一部と前記上半身の一部との間で順次変更する請求項１または２に記載の睡眠改善装置。
【請求項４】
前記第１状態から前記第２状態に至る途中の前記調熱対象部位として、前記下半身の一部と前記上半身の一部との間に別の部位を設定してある請求項３に記載の睡眠改善装置。
【請求項５】
前記第１状態から前記第２状態に至る前記温度制御を、入眠タイミングあるいは覚醒タイミングに基づく時刻あるいは積算時間に基づいて行う請求項３または４に記載の睡眠改善装置。
【請求項６】
前記第１状態から前記第２状態に至る前記温度制御を、前記利用者の睡眠状態をモニターするよう前記寝具に併設した睡眠モニタ装置の出力信号に基づいて行う請求項３または４に記載の睡眠改善装置。
【請求項７】
前記出力信号が、前記利用者の体の動きを示す体動信号である請求項６に記載の睡眠改善装置。
【請求項８】
前記第１状態から前記第２状態に至る前記温度制御を、前記利用者の前記下半身の一部および前記上半身の一部のうち少なくとも何れか一方に取り付けた皮膚温度センサによる検出情報に基づいて行う請求項３または４に記載の睡眠改善装置。
【発明の詳細な説明】
【技術分野】
【０００１】
本発明は、利用者の睡眠を改善する睡眠改善装置に関する。
【背景技術】
【０００２】
一般に、入眠後の体温低下が大きいほど熟眠することができ、入眠後の体温低下を促進するほど速く熟眠状態（例えばレム睡眠とノンレム睡眠とが交互に現れる状態）に移行することができる。また、覚醒前の体温上昇が大きいほど快適な目覚めを得ることができる。
【０００３】
特許文献１には、入床している人の寝具温度などの外部環境温度を変化させることにより体温低下を促進して、入眠を誘導する従来の睡眠改善装置が記載されている。
この睡眠改善装置は、外部環境温度を制御して、入床時は外部環境温度を３７℃〜４２℃の高めの温度に維持した後、入眠後４５分以内で外部環境温度を３２℃〜３８℃の範囲内に漸次下降させて、熟睡し易い環境を与える。
【先行技術文献】
【特許文献】
【０００４】
【特許文献１】特開２００５−１０３２２８号公報
【発明の概要】
【発明が解決しようとする課題】
【０００５】
上記従来の睡眠改善装置は、入床時の外部環境温度を高めの温度に維持することで入床している人の脳に「暑さ」を感じさせ、これにより、体全体からの放熱を増大させる体調機能を働かせて、入床後の体温低下を促進する。
ところが、体全体からの放熱を増大させているにもかかわらず、高めに維持されている外部環境温度に起因して体幹部（上半身）が加温されているので、入床した人が不快感を感じ易い。
また、入眠後４５分以内で外部環境温度を３２℃〜３８℃の範囲内に漸次下降させることにより、体全体からの放熱量を増大させて入眠後の体温低下を促進しようとする。
ところが、低下させた外部環境温度に起因して末梢部（下半身）が冷やされるので、脳が「寒さ」を感じ、これにより、体全体からの放熱を減少させる体調機能が働いて、体温低下が抑制される。
【０００６】
つまり、従来の睡眠改善装置は、入床からの経過時間に応じて外部環境温度を変化させることで全身温度を変更して入眠を誘導する。
したがって、このような技術を類推適用して、快適な目覚めが得られるように、外部環境温度を高めて覚醒前の体温上昇を促進することが考えられる。
しかしながら、この場合は、高い外部環境温度に起因して末梢部が加温されるために、脳が「暑さ」を感じて体全体からの放熱量を増大させる体調機能が働き、体温上昇が抑制されて快適な目覚めを得にくい。
本発明は上記実情に鑑みてなされたものであって、快適な目覚めを得やすい睡眠改善装置を提供することを目的とする。
【課題を解決するための手段】
【０００７】
本発明による睡眠改善装置の特徴構成は、寝具に備えられ、利用者の腰から上の上半身の一部の温度および腰より下の下半身の一部の温度を各別に変更可能な熱源を備え、覚醒時に前記上半身の一部の温度が、前記下半身の一部の温度に対して高温となるよう前記熱源の温度制御を行う温度制御装置を備えた点にある。
【０００８】
本構成の睡眠改善装置は、覚醒時に、上半身の一部の温度が、下半身の一部の温度に対して高温となるよう熱源の温度制御を行う。
これにより、覚醒時に上半身の一部の温度が下半身の一部の温度に比べて高く設定され、下半身が上半身に対して相対的に低温となる。
その結果、利用者の脳が「寒さ」を感じて体全体からの放熱を抑制するように体調機能が働く。このため、体温上昇が促進されて覚醒時に体全体の体温が高められ、快適な目覚めを得ることができる。
【０００９】
本発明の他の特徴構成は、前記温度制御装置が、入眠時に前記下半身の一部の温度が前記上半身の一部の温度に対して高温となるよう前記熱源を制御する点にある。
【００１０】
本構成であれば、入眠時に下半身の側を相対的に高温とすることで、利用者の脳が「暑さ」を感じて体全体からの放熱を促進するように体調機能が働く。このため、入眠後の体温低下が促進され、利用者を深い睡眠状態に誘導することができる。
【００１１】
本発明の他の特徴構成は、前記入眠時の下半身の一部の温度が相対的に高い第１状態から、前記覚醒時の上半身の一部の温度が相対的に高い第２状態に変化するよう、前記熱源である加熱熱源あるいは冷却熱源による調熱対象部位を、前記下半身の一部と前記上半身の一部との間で順次変更する点にある。
【００１２】
本構成の調熱操作は、入眠時には深い睡眠状態に誘導することができ、覚醒時には快適な目覚めが得られるように、加熱熱源あるいは冷却熱源を上半身と下半身との間で移動させるものである。例えば、冬であればヒータ等の加熱熱源による加熱部位を下半身の側から上半身の側に移動させればよく、夏であれば、送風機などの冷却熱源による冷却部位を上半身の側から下半身の側に移動させればよい。このように本構成であれば、少なくとも一種類の熱源のみを用いて第１状態と第２状態とを得ることができる。
【００１３】
本発明の他の特徴構成は、前記第１状態から前記第２状態に至る途中の前記調熱対象部位として、前記下半身の一部と前記上半身の一部との間に別の部位を設定してある点にある。
【００１４】
本構成の如く、上半身の一部の例である頸部や、下半身の一部の例である下腿部の他に、これらの中間位置である腰部などを調熱対象部位として設定することで、下半身と上半身との間の温度差が小さくなる。この結果、体調機能として放熱促進や放熱抑制が行われず、体全体の体温が維持されることとなる。これにより、入眠時と覚醒時の間において良好な睡眠状態を維持することができる。
【００１５】
本発明の他の特徴構成は、前記第１状態から前記第２状態に至る前記温度制御を、入眠タイミングあるいは覚醒タイミングに基づく時刻あるいは積算時間に基づいて行う点にある。
【００１６】
通常の利用者であれば、入眠から深い睡眠状態に移行するまでの所要時間、あるいは、睡眠程度の深い状態と浅い状態との繰返し周期は所定の値となる。よって、本構成の如く、入眠タイミングあるいは覚醒タイミングに基づいて温度制御を行うことで、装置構成を複雑にすることなく睡眠改善効果を高めることができる。
【００１７】
本発明の他の特徴構成は、前記第１状態から前記第２状態に至る前記温度制御を、前記利用者の睡眠状態をモニターするよう前記寝具に併設した睡眠モニタ装置の出力信号に基づいて行う点にある。
【００１８】
本構成の如く、睡眠モニタ装置を用いれば、利用者が入眠状態にあるか否かを知ることができ、さらには、睡眠状態のうち深く眠っている状態か浅く眠っている状態か等も知ることができる。よって、当該睡眠モニタ装置の出力信号に基づいて温度制御を行い、上記第１状態あるいは第２状態を形成することで、利用者の睡眠状態に応じて最適な温度設定を行うことができ、快適な入眠・覚醒環境を得ることができる。
【００１９】
本発明の他の特徴構成は、前記出力信号が、前記利用者の体の動きを示す体動信号である点にある。
【００２０】
通常、利用者の身体には睡眠の程度に応じて特定の症状が生じる。そのうちの一つが寝返り等の体動である。体動であれば、例えば寝具に簡単な荷重センサを備えることで容易に検出可能である。よって本構成の如く体動信号を利用することで、利用者の睡眠状態に良く適合した温度制御を簡易な構成で実現することができる。
【００２１】
本発明の他の特徴構成は、前記第１状態から前記第２状態に至る前記温度制御を、前記利用者の前記下半身の一部および前記上半身の一部のうち少なくとも何れか一方に取り付けた皮膚温度センサによる検出情報に基づいて行う点にある。
【００２２】
利用者の体温は睡眠状態の変化に伴って変化する。例えば、本発明の温度制御装置では入眠時に下半身の一部を相対的に加熱することで、利用者の体温を全体的に低下させる。また、覚醒時には、上半身の一部を相対的に加熱することで、利用者の体温を全体的に上昇させる。そこで、本構成では、睡眠程度に応じて現れる利用者の体温を直接測定することで、利用者の睡眠程度を間接的に把握し、当該睡眠程度に応じて温度制御を行うこととしている。これにより、利用者が快適に睡眠できる環境をより正確に現出させることができる。
【図面の簡単な説明】
【００２３】
【図１】睡眠改善装置を示すブロック図である。
【図２】加熱装置の温度制御を説明するフローチャートである。
【図３】入床からの経過時間に応じた上半身体温の変化を示すグラフである。
【図４】身体に対する温度刺激位置を示す説明図である。
【図５】第４実施形態における身体に対する温度刺激位置を示す説明図である。
【図６】第５実施形態における身体に対する温度刺激位置を示す説明図である。
【発明を実施するための形態】
【００２４】
以下に本発明の実施の形態を図面に基づいて説明する。
〔第１実施形態〕
図１〜図４は、本発明による睡眠改善装置を示す。
睡眠改善装置は、室内空間Ａに、就寝しようとする利用者Ｂが入床する例えば敷き布団及び掛け布団を有するベッド（寝具の一例）１と、入床している利用者Ｂの身体温度を変更可能な熱源としての加熱装置（加熱熱源）２と、利用者Ｂの睡眠状態をモニターするようベッド１に併設した睡眠モニタ装置５と、加熱装置２の温度制御を行う温度制御装置６とを備えている。
本実施形態では熱源としての加熱装置２を設けてあるので、室内温度が低い冬季における使用に好適である。
【００２５】
利用者Ｂは、頭部Ｂ１をベッド１の長手方向一端側に載せ、かつ、下腿部（足）Ｂ５をベッド１の長手方向他端側に載せて横臥する姿勢でベッド１に入床する。
加熱装置２は、加熱用の温調空気を敷き布団と掛け布団との間に給気する複数（本実施形態では三つ）の給気ファンユニット３ａ，３ｂ，３ｃと、敷き布団と掛け布団との間に給気された温調空気を吸引して室内空間Ａに放出する複数（本実施形態では二つ）の排気ファンユニット４ａ，４ｂとをベッド１長手方向で交互に隣り合う状態で配置して構成してある。
【００２６】
三つの給気ファンユニット３ａ，３ｂ，３ｃを、頭部Ｂ１を載せるベッド１の長手方向一端側に配置したものから順に、第１給気ファンユニット３ａ，第２給気ファンユニット３ｂ，第３給気ファンユニット３ｃという。
二つの排気ファンユニット４ａ，４ｂを、頭部Ｂ１を載せるベッド１の長手方向一端側に配置したものから順に、第１排気ファンユニット４ａ，第２排気ファンユニット４ｂという。
【００２７】
各給気ファンユニット３ａ，３ｂ，３ｃは、ベッド１の幅方向に並べた複数個（本実施形態では３個）の給気ファン３を一組として備えている。
各排気ファンユニット４ａ，４ｂは、ベッド１の幅方向に並べた複数個（本実施形態では３個）の排気ファン４を一組として備えている。
【００２８】
温調空気は、いずれか一つの給気ファンユニット３ａ，３ｂ，３ｃの駆動により、例えばベッド１の下部に設けた温調空気チャンバから敷き布団と掛け布団との間に給気され、給気された温調空気は当該給気ファンユニット３ａ，３ｂ，３ｃに隣り合ういずれか一方の排気ファンユニット４ａ，４ｂの駆動により室内に放出される。
【００２９】
利用者Ｂの頸部から胸部又は背部に亘る部分Ｂ２の身体温度は、第１給気ファンユニット３ａと第１排気ファンユニット４ａとの組み合わせを作動させることにより変更可能である。利用者Ｂの腹部から腰部に亘る部分Ｂ３の身体温度は、第２給気ファンユニット３ｂと第１排気ファンユニット４ａとの組み合わせを作動させることにより変更可能である。利用者Ｂの上腿部分Ｂ４の身体温度は、第２給気ファンユニット３ｂと第２排気ファンユニット４ｂとの組み合わせを作動させることにより変更可能である。利用者Ｂの足を含む下腿部分Ｂ５の身体温度は、第３給気ファンユニット３ｃと第２排気ファンユニット４ｂとの組み合わせを作動させることにより変更可能である。
【００３０】
利用者Ｂの身体のうち、頭部Ｂ１，頸部から胸部又は背部に亘る部分Ｂ２および腹部から腰部に亘る部分Ｂ３が腰から上の上半身に相当し、上腿部分Ｂ４および下腿部分Ｂ５が腰より下の下半身に相当している。
【００３１】
したがって、加熱装置２は、第１〜第３給気ファンユニット３ａ、３ｂ、３ｃと、第１，第２排気ファンユニット４ａ，４ｂとの隣り合ういずれかの組み合わせを作動させることにより、利用者Ｂの上半身Ｂ１〜Ｂ３の一部の温度および下半身Ｂ４，Ｂ５の一部の温度を各別に変更可能に構成してある。
【００３２】
睡眠モニタ装置５は、ベッド１の荷重変化を検出して利用者Ｂが入床したことを判定する。また、睡眠モニタ装置５は、ベッド１の重心位置変化に基づいて利用者Ｂが寝返りなどで体を動かした回数（体動数）を検出し、その体動数から利用者Ｂの入眠タイミングや熟眠タイミング及び覚醒タイミングを判定する。
荷重変化や重心位置変化は、ベッド１と床面との間に介在させた荷重センサ７の出力値に基づいて検出する。
【００３３】
睡眠モニタ装置５は、入床した利用者Ｂが眠り就こうとする入眠開始状態に移行したか否かを判定する入眠判定機能と、眠りに就いている利用者Ｂが熟眠状態に移行したか否かを判定する熟眠判定機能と、利用者Ｂが覚醒しようとする状態に移行したか否かを判定する覚醒判定機能とを有している。
【００３４】
入眠判定機能は、例えば入床した利用者Ｂの体動数が入眠判定用設定回数以下になったときに、入眠開始状態に移行したと判定する機能である。
熟眠判定機能は、入眠開始状態に移行したと判定した後の利用者Ｂの体動数が熟眠判定用設定回数以下になったときに、熟眠状態に移行したと判定する機能である。
覚醒判定機能は、熟眠状態に移行したと判定した後の利用者Ｂの体動数が覚醒判定用設定回数以上になったときに、覚醒状態に移行したと判定する機能である。
睡眠モニタ装置５は、これらの判定結果を、利用者Ｂの体の動きを示す体動信号として温度制御装置６に出力する。
【００３５】
温度制御装置６による制御動作を、図２のフローチャートおよび図３，図４を参照しながら説明する。
本実施形態における温度制御装置６は、利用者Ｂが入床したことを判定した後、加熱装置２の作動を睡眠モニタ装置５からの入力信号に基づいて所定時間間隔で制御する。
【００３６】
すなわち、ステップ＃１において、利用者Ｂが熟眠状態に移行していないと判定し、かつ、ステップ＃２において、入眠状態に移行していないと判定したとき（入床時）は、「入眠促進刺激」を付与する動作を実行する（ステップ＃３）。
【００３７】
「入眠促進刺激」の付与は、図４（ａ）に示すように、下半身の一部である下腿部分Ｂ５を加熱して、下腿部分Ｂ５の温度が少なくとも上半身の一部である頸部から胸部又は背部に亘る部分Ｂ２の温度に対して高温となるように加熱装置２を制御することにより実行する。
具体的には、第３給気ファンユニット３ｃと第２排気ファンユニット４ｂとの組み合わせを作動させて、下腿部分Ｂ５の温度を例えば３４℃以上４２℃未満の加温温度に維持する。
【００３８】
「入眠促進刺激」を付与することにより、利用者Ｂの脳が「暑さ」を感じ、これにより、身体末梢からの熱放散を促す体調機能が働いて、図３に示すように入床後の上半身体温が低下し、入眠準備が促進される。
尚、加温温度は、定性的には「皮膚温」以上で「不快を伴う温度」未満の温度である。
【００３９】
ステップ＃１において利用者Ｂが熟眠状態に移行していないと判定し、かつ、ステップ＃２において利用者Ｂが入眠状態に移行していると判定したとき（入眠時）は、「熟眠促進刺激」を付与する動作を実行する（ステップ＃４）。
「熟眠促進刺激」の付与は、図４（ｂ）に示すように、下半身の一部である上腿部分Ｂ４を加熱して、上腿部分Ｂ４の温度が少なくとも上半身の一部である頸部から胸部又は背部に亘る部分Ｂ２の温度に対して高温となるよう加熱装置２を制御することにより実行する。
具体的には、第２給気ファンユニット３ｂと第２排気ファンユニット４ｂとの組み合わせを作動させて、上腿部分Ｂ４の温度を例えば３４℃以上４２℃未満の加温温度に維持する。
【００４０】
「熟眠促進刺激」を付与することにより、利用者Ｂの脳が「暑さ」を感じ、これにより、人体末梢からの熱放散を維持する体調機能が働き、図３に示すように上半身体温の降下勾配が大きくなって入眠後の上半身体温の低下が促進され、利用者Ｂを早期に熟眠状態に誘導することができる。
【００４１】
ステップ＃１において利用者Ｂが熟眠状態に移行していると判定し、かつ、ステップ＃５において利用者Ｂが覚醒状態に移行していないと判定したときは、「熟眠維持刺激」を付与する動作を実行する（ステップ＃６）。
【００４２】
「熟眠維持刺激」の付与は、図４（ｃ）に示すように、上半身の一部である腹部から腰部に亘る部分Ｂ３を加熱して、腹部から腰部に亘る部分Ｂ３の温度が少なくとも下半身の一部である下腿部分Ｂ５の温度よりも高温になるように加熱装置２を制御することにより実行する。
具体的には、第２給気ファンユニット３ｂと第１排気ファンユニット４ａとの組み合わせを作動させて、腹部から腰部に亘る部分Ｂ３の温度を例えば３４℃以上４２℃未満の加温温度に維持する。
「熟眠維持刺激」を付与することにより、上半身体温が低下している状態が維持されて、汗の気化が促進されると共に発汗防止および冷え防止が図られ、図３に示すように上半身温度が熟眠に適した温度に維持される。
【００４３】
ステップ＃１において利用者Ｂが熟眠状態に移行していると判定し、かつ、ステップ＃５において利用者Ｂが覚醒状態に移行していると判定したとき（覚醒時）は、「覚醒促進刺激」を付与する動作を実行する（ステップ＃７）。
【００４４】
「覚醒促進刺激」の付与は、図４（ｄ）に示すように、上半身の一部である頸部から胸部又は背部に亘る部分Ｂ２を加熱して、頸部から胸部又は背部に亘る部分Ｂ２の温度が、下半身の一部である下腿部分Ｂ５の温度よりも高温になるよう加熱装置２を制御することにより実行する（図４（ｄ））。
具体的には、第１給気ファンユニット３ａと第１排気ファンユニット４ａとの組み合わせを作動させて、頸部から胸部又は背部に亘る部分Ｂ２の温度を例えば３４℃以上４２℃未満の加温温度に維持する。
「覚醒促進刺激」を付与することにより、熱放散が減少又は抑制されて、図３に示すように上半身温度が上昇し、覚醒時に快適な目覚めを誘導することができる。
【００４５】
入眠時の「熟眠促進刺激」における上腿部分Ｂ４の温度が残りの部分に比べて相対的に高い状態を第１状態という。
覚醒時の「覚醒促進刺激」における頸部から胸部又は背部に亘る部分Ｂ２の温度が残りの部分に比べて相対的に高い状態を第２状態という。
【００４６】
したがって、温度制御装置６は、第１状態から第２状態に至る温度制御を、睡眠モニタ装置５からの出力信号に基づいて行う。
そして、第１状態から第２状態に変化するように、図４に示すように、加熱装置２による調熱（加熱）対象部位を、下腿部分Ｂ５、上腿部分Ｂ４、腹部から腰部に亘る部分Ｂ３、頸部から胸部又は背部に亘る部分Ｂ２の順に変更する。
本実施形態では、腹部から腰部に亘る部分Ｂ３が、第１状態から第２状態に至る途中の調熱対象部位に相当する。
【００４７】
〔第２実施形態〕
本実施形態では、図示しないが、温度制御装置６による第１状態から第２状態に至る温度制御を、入眠タイミングあるいは覚醒タイミングに基づく時刻あるいは積算時間に基づいて行う。
本実施形態における温度制御装置６による判定機能を説明する。
【００４８】
利用者Ｂが入眠状態に移行した後は約９０分間隔で眠りが浅くなり、入眠から約４５分が経過したときに最初の深い眠りが出現し、入眠から約２時間１５分が経過したときに二回目の深い眠りが出現すると考えられる。
このため、熟眠判定機能は、ステップ＃１において、利用者Ｂが入床してから熟眠判定用の所定時間（例えば入眠判定後２時間１５分（入床後２時間３０分））が経過したときの二回目の眠りが深くなった状態を熟眠状態に移行したと判定する。
すなわち、眠りの深さは９０分周期で変化することが多いため、入眠後の二回目に眠りが深くなった状態を熟眠状態に移行したと判定するものである。
【００４９】
入眠判定機能は、ステップ＃２において、利用者Ｂが入床してからの経過時間が入眠判定用の所定時間（例えば１５分）を越えたときに、入眠開始状態に移行したと判定する。
利用者Ｂが入床してからの経過時間が入眠判定用の所定時間を越えたタイミングが入眠タイミングに相当する。
【００５０】
覚醒判定機能は、ステップ＃５において、利用者Ｂが入床してからの経過時間が覚醒判定用の時間（例えば予め設定した覚醒予定時刻の３０分前までに対応する入床してからの経過時間）に達したときに、覚醒状態に移行したと判定する。
利用者Ｂが入床してからの経過時間が覚醒判定用の時間に達したタイミングが覚醒タイミングに相当する。
その他の構成は第１実施形態と同様である。
【００５１】
〔第３実施形態〕
本実施形態では、図示しないが、利用者Ｂの体温が睡眠状態に応じて変化する現象を利用して、温度制御装置６による第１状態から第２状態に至る温度制御を、利用者Ｂの下半身Ｂ４，Ｂ５の一部および上半身Ｂ１〜Ｂ３の一部のうち少なくとも何れか一方に取り付けた皮膚温度センサ（図示せず）による検出情報に基づいて行う。
【００５２】
このため、睡眠モニタ装置５は、入床した利用者Ｂの皮膚温度を検出し、検出した皮膚温度に基づいて第１状態の開始・終了タイミングおよび第２状態の開始タイミングを判定し、それらの判定したタイミングを示すタイミング信号を出力信号として温度制御装置６に出力する。
【００５３】
したがって、睡眠モニタ装置５は、入床した利用者Ｂの皮膚温度に基づいて、入眠開始状態への移行、覚醒状態への移行、および、熟眠状態への移行を判定する。
熟眠判定機能では、ステップ＃１において、皮膚温度が熟眠判定用の所定温度に達したときに、熟眠状態に移行したと判定する。
入眠判定機能では、ステップ＃２において、皮膚温度が入眠判定用の所定温度に達したときに、入眠開始状態に移行したと判定する。
覚醒判定機能では、ステップ＃５において、皮膚温度が覚醒判定用の所定温度に達したときに、覚醒状態に移行したと判定する。
その他の構成は第１実施形態と同様である。
【００５４】
〔第４実施形態〕
本実施形態では、図示しないが、入床している利用者Ｂの身体温度を変更可能な熱源としての冷却装置（冷却熱源）（図示せず）と、冷却装置の温度制御を行う温度制御装置６とを備えている。
本実施形態では熱源としての冷却装置を設けてあるので、室内温度が高い夏季における使用に好適である。
【００５５】
本実施形態が備える冷却装置は、第１実施形態において示した温調空気チャンバから、加熱用の温調空気に代えて、冷却用の温調空気を第１〜第３給気ファンユニット３ｃに供給することによって実施することができる。
【００５６】
本実施形態における「入眠促進刺激」，「熟眠促進刺激」，「熟眠維持刺激」および「覚醒促進刺激」の付与について、図５を参照しながら説明する。
「入眠促進刺激」の付与は、図５（ａ）に示すように、上半身の一部である頸部から胸部又は背部に亘る部分Ｂ２を冷却して、下腿部分Ｂ５の温度が少なくとも頸部から胸部又は背部に亘る部分Ｂ２の温度よりも相対的に高くなるように冷却装置を制御することにより実行する。
具体的には、第１給気ファンユニット３ａと第１排気ファンユニット４ａとの組み合わせを作動させて頸部から胸部又は背部に亘る部分Ｂ２の温度を例えば１７℃以上３４℃未満の冷却温度に維持する。
尚、冷却温度は、定性的には「不快を伴う温度」以上で「皮膚温」未満の温度である。
【００５７】
「熟眠促進刺激」の付与は、図５（ｂ）に示すように、上半身の一部である腹部から腰部に亘る部分Ｂ３を冷却して、下半身の一部である下腿部分Ｂ５の温度が少なくとも腹部から腰部に亘る部分Ｂ３の温度よりも相対的に高温になるように冷却装置を制御することにより実行する。
具体的には、第２給気ファンユニット３ｂと第１排気ファンユニット４ａとの組み合わせを作動させて腹部から腰部に亘る部分Ｂ３の温度を例えば１７℃以上３４℃未満の冷却温度に維持する。
【００５８】
「熟眠維持刺激」の付与は、図５（ｃ）に示すように、下半身の一部である上腿部分Ｂ４を冷却して、上半身の一部である腹部から腰部に亘る部分Ｂ３の温度が少なくとも上腿部分Ｂ４の温度よりも相対的に高温になるよう冷却装置を制御することにより実行する。
具体的には、第２給気ファンユニット３ｂと第２排気ファンユニット４ｂとの組み合わせを作動させて、上腿部分Ｂ４の温度を例えば３４℃以上４２℃未満の冷却温度に維持する。
【００５９】
「覚醒促進刺激」の付与は、図５（ｄ）に示すように、下半身の一部である下腿部分Ｂ５を冷却して、上半身の一部である頸部から胸部又は背部に亘る部分Ｂ２の温度が少なくとも下腿部分Ｂ５の温度よりも相対的に高温になるよう冷却装置を制御することにより実行する。
具体的には、第３給気ファンユニット３ｃと第２排気ファンユニット４ｂとの組み合わせを作動させて、下腿部分Ｂ５の温度を例えば３４℃以上４２℃未満の冷却温度に維持する。
【００６０】
したがって、温度制御装置６は、第１状態から第２状態に至る温度制御を、睡眠モニタ装置５からの出力信号に基づいて行う。
そして、第１状態から第２状態に変化するように、図５に示すように、冷却装置による調熱（冷却）対象部位を、頸部から胸部又は背部に亘る部分Ｂ２、腹部から腰部に亘る部分Ｂ３、上腿部分Ｂ４、下腿部分Ｂ５の順に変更する。
本実施形態では、上腿部分Ｂ４が、第１状態から第２状態に至る途中の調熱対象部位に相当する。
その他の構成は第１実施形態と同様である。
【００６１】
〔第５実施形態〕
図示しないが、室内を快適な温度に維持し易い春季や秋季において、第１実施形態で示した加熱装置による加熱と第４実施形態で示した冷却装置による冷却とを同時に実行してもよい。
【００６２】
本実施形態における「入眠促進刺激」，「熟眠促進刺激」，「熟眠維持刺激」および「覚醒促進刺激」の付与について、図６を参照しながら説明する。
「入眠促進刺激」の付与は、図６（ａ）に示すように、下半身の一部である下腿部分Ｂ５を加熱し、同時に、上半身の一部である頸部から胸部又は背部に亘る部分Ｂ２を冷却するように熱源を制御することにより実行する。
【００６３】
「熟眠促進刺激」の付与は、図６（ｂ）に示すように、下半身の一部である上腿部分Ｂ４を加熱し、同時に、上半身の一部である腹部から腰部に亘る部分Ｂ３を冷却するように熱源を制御することにより実行する。
【００６４】
「熟眠維持刺激」の付与は、図６（ｃ）に示すように、上半身の一部である腹部から腰部に亘る部分Ｂ３を加熱し、同時に、下半身の一部である上腿部分Ｂ４を冷却するように熱源を制御することにより実行する。
【００６５】
「覚醒促進刺激」の付与は、図６（ｄ）に示すように、上半身の一部である頸部から胸部又は背部に亘る部分Ｂ２を加熱し、同時に、下半身の一部である下腿部分Ｂ５を冷却するように熱源を制御することにより実行する。
【００６６】
本実施形態によれば、少ない加熱量と冷却量でありながら、身体に大きな温度差を与えて所望の体調機能を働かせることができる。
その他の構成は第１又は第４実施形態と同様である。
【００６７】
〔その他の実施形態〕
１．本発明による睡眠改善装置は、電気ヒータ或いはペルチェ素子を利用した熱源を備えていてもよい。
２．本発明による睡眠改善装置は、加熱機能と冷却機能とを択一的に作動させることができる熱源を備えていてもよい。
３．本発明による睡眠改善装置は、家庭や宿泊施設、各種医療施設、各種看護施設などに設置するために利用可能である。
【符号の説明】
【００６８】
１  寝具
２  熱源
５  睡眠モニタ装置
６  温度制御装置
Ｂ  利用者
Ｂ１〜Ｂ３  上半身
Ｂ４，Ｂ５  下半身
【図１】
2015167639.tif 000003
【図２】
2015167639.tif 000004
【図３】
2015167639.tif 000005
【図４】
2015167639.tif 000006
【図５】
2015167639.tif 000007
【図６】
2015167639.tif 000008